(57)【特許請求の範囲】
【請求項１】
各々浮力材（２）を有する前身ごろ（３）と後ろ身ごろ（４）とが布状体（５）で連結されてなるベスト本体（１）と、該ベスト本体（１）に取り付けられて前記前身ごろ（３）と後ろ身ごろ（４）との離間距離を調節する調節ベルト（６）とからなり、該調節ベルト（６）が、ベルト体（８，９）と該ベルト体（８，９）の長さを調節する調節具（１０）とからなる釣り用ベストであって、前記調節ベルト（６）は、少なくとも調節具（１０）が前記布状体（５）の内側に位置し、布状体（５）は表地（５ａ）と裏地（５ｂ）が上下端部で互いに縫い付けられて袋状に形成され、ベルト体（９）はその後ろ身頃（４）側が布状体（５）の表地（５ａ）と裏地（５ｂ）との間に挿入されると共に裏地（５ｂ）のベルト通し孔（１４）から布状体（５）の内側に導き出されていることを特徴とする釣り用ベスト。
【請求項２】
布状体（５）は、前身ごろ（３）と後ろ身ごろ（４）との離間方向に沿って伸縮自在に構成されている請求項１記載の釣り用ベスト。
【請求項３】
各々浮力材（２）を有する前身ごろ（３）と後ろ身ごろ（４）とが布状体（５）で連結されてなるベスト本体（１）と、該ベスト本体（１）に取り付けられて前記前身ごろ（３）と後ろ身ごろ（４）との離間距離を調節する調節ベルト（６）とからなり、該調節ベルト（６）が、ベルト体（８，９）と該ベルト体（８，９）の長さを調節する調節具（１０）とからなる釣り用ベストであって、前記調節ベルト（６）は、少なくとも調節具（１０）が前記布状体（５）の内側に位置し、布状体（５）に前身ごろ（３）と後ろ身ごろ（４）との離間方向に沿ってゴム（７）が上下一対縫い付けられることによって布状体（５）は伸縮自在に構成され、該上下のゴム（７）間に調節ベルト（６）が位置していることを特徴とする釣り用ベスト。
【請求項４】
各々浮力材（２）を有する前身ごろ（３）と後ろ身ごろ（４）とが布状体（５）で連結されてなるベスト本体（１）と、該ベスト本体（１）に取り付けられて前記前身ごろ（３）と後ろ身ごろ（４）との離間距離を調節する調節ベルト（６）とからなり、該調節ベルト（６）が、ベルト体（８，９）と該ベルト体（８，９）の長さを調節する調節具（１０）とからなる釣り用ベストであって、前記調節ベルト（６）は、少なくとも調節具（１０）が前記布状体（５）の内側に位置し、且つ、前記調節具（１０）の内側が内面カバー体（１１）で覆われてなることを特徴とする釣り用ベスト。
【発明の詳細な説明】
【０００１】
【発明の属する技術分野】
本発明は、釣り用ベストに関するものであり、該釣り用ベストは、発泡プラスチック等からなる浮力材を備え、魚釣りに際して着用されるもので、一般にフローティングベストと称されている。
【０００２】
【従来の技術】
従来より、この種のフローティングベストとしては、図７に示す如く、発泡プラスチックからなる板状の浮力材５０を左右の前身ごろ５１，５１と後ろ身ごろ５２に各々備え、該前身ごろ５１，５１と後ろ身ごろ５２は、左右の脇の部分で布状体５３，５３で各々連結され、しかも、該連結長さを調節する調節ベルト５４が布状体５３の外側に左右一対設けられてなるものが公知である。
【０００３】
該ベストにおける調節ベルト５４は、基端が各々布状体５３の前後に縫いつけられて固定された前後一対のベルト体５５，５５と、一方のベルト体５５の先端に取り付けられて他方のベルト体５５の先端が挿入される調節具５６とからなる。
【０００４】
そして、着用者は、調節具５６に他方のベルト体５５の先端を挿入して両ベルト体５５，５５を連結した後、他方のベルト体５５の先端を引っ張ることにより、前身ごろ５１と後ろ身ごろ５２との離間距離を調節して、前身ごろ５１と後ろ身ごろ５２とを体に密着させる。
【０００５】
【発明が解決しようとする課題】
しかるに、上記従来のベストを着用して釣りを行うと、布状体５３の外側に位置する調節ベルト５４、特に調節具５６に釣り糸が引っかかって絡まったりする場合があった。
【０００６】
このように、調節具５６に釣り糸が絡まると、絡まった釣り糸を解きほぐしたりするための余分な時間と手間がかかり、釣果にも影響を与える可能性があるうえに、精神衛生上も好ましいものではない。
【０００７】
また、最近では細い釣り糸を多用する傾向にあるため、調節具５６に釣り糸が擦れたり絡まったりすると、糸切れの要因となる可能性もある。
【０００８】
そこで本発明は、上記従来の問題点に鑑みて、調節ベルトの調節具に釣り糸が絡まるおそれのない釣り用ベストを提供することを課題とするものである。
【０００９】
【課題を解決するための手段】
本発明は、上記課題を解決すべくなされたものであり、本発明に係る釣り用ベストは、各々浮力材２を有する前身ごろ３と後ろ身ごろ４とが布状体５で連結されてなるベスト本体１と、該ベスト本体１に取り付けられて前記前身ごろ３と後ろ身ごろ４との離間距離を調節する調節ベルト６とからなり、該調節ベルト６が、ベルト体８，９と該ベルト体８，９の長さを調節する調節具１０とからなる釣り用ベストであって、前記調節ベルト６は、少なくとも調節具１０が前記布状体５の内側に位置し、布状体５は表地５ａと裏地５ｂが上下端部で互いに縫い付けられて袋状に形成され、ベルト体９はその後ろ身頃４側が布状体５の表地５ａと裏地５ｂとの間に挿入されると共に裏地５ｂのベルト通し孔１４から布状体５の内側に導き出されていることを特徴とする。
【００１０】
特に、布状体５が前身ごろ３と後ろ身ごろ４との離間方向に沿って伸縮自在に構成されていることが好ましい。
【００１１】
また、各々浮力材２を有する前身ごろ３と後ろ身ごろ４とが布状体５で連結されてなるベスト本体１と、該ベスト本体１に取り付けられて前記前身ごろ３と後ろ身ごろ４との離間距離を調節する調節ベルト６とからなり、該調節ベルト６が、ベルト体８，９と該ベルト体８，９の長さを調節する調節具１０とからなる釣り用ベストであって、前記調節ベルト６は、少なくとも調節具１０が前記布状体５の内側に位置し、布状体５に前身ごろ３と後ろ身ごろ４との離間方向に沿ってゴム７が上下一対縫い付けられることによって布状体５は伸縮自在に構成され、該上下のゴム７間に調節ベルト６が位置していることを特徴とする。
【００１４】
また、調節具１０の内側を内面カバー体１１で覆うことにより、ベスト着用時において、着用者の衣服に調節具１０が引っかかったりするおそれもない。
【００１５】
【発明の実施の形態】
以下、本発明に係る釣り用ベストの一実施形態について、図１乃至図４を参酌しつつ、左右一対の前身ごろ３，３と後ろ身ごろ４とが両脇の部分で布状体５によって連結されてなるベスト本体１と、該ベスト本体１の両脇の部分に各々取り付けられて前身ごろ３と後ろ身ごろ４との前後の離間距離を調節する左右一対の調節ベルト６，６とを備えてなる釣り用ベストについて説明する。
【００１６】
左右一対の前身ごろ３，３と後ろ身ごろ４には、発泡プラスチックからなる板状の浮力材２が表地と裏地との間に各々個別に挿入され且つ取り外し自在になっている。
【００１７】
また、前記布状体５は、前身ごろ３と後ろ身ごろ４の各々の側縁部の下方に縫いつけられている。該布状体５は、図３のように、表地５ａと裏地５ｂとの二重構造となっており、上下端部が縫い付けられて袋状になっている。その表地５ａと裏地５ｂとの間には、図２の如く、前身ごろ３と後ろ身ごろ４との離間方向に沿って帯状のゴム７が上下一対縫いつけられており、該ゴム７によって布状体５は、離間方向に沿って伸縮自在に形成されてなる。
【００１８】
かかる上下二本のゴム７，７の間の位置に前記調節ベルト６が位置してなる。該調節ベルト６は、前後一対のベルト体８，９と該両ベルト体８，９を連結し且つ連結長さを自由調節可能な調節具１０とからなる。調節具１０は、ベルト体８，９を挿入するための挿入孔が三箇所平行に形成されてなる。
【００１９】
そして、一方のベルト体８は、図３のように、調節具１０の二箇所の挿入孔に交互に挿入されて、長尺方向の両端部が共に前身ごろ３の側縁部の内側に縫いつけられて二重になっている。該前身ごろ３側のベルト体８は、調節具１０と共に布状体５の内側に位置している。
【００２０】
更に、かかる前身ごろ側３のベルト体８には、調節具１０を内側から覆うことのできるパッド１１（内面カバー体）が取り付けられている。該パッド１１は、一側縁１１ａがベルト体８の内側に縫い付けられて、図４（イ）のように、一側縁１１ａを中心にして前後方向（図中Ａ方向）に回動できるようになっている。また、縫い付けられた側と反対側の側縁部には、他方のベルト体９の先端が挿入できる切り込み１２が形成されてなる。尚、パッド１１は、クッション性を有する弾性部材から形成されてなる。
【００２１】
また、他方のベルト体９は、一端が後ろ身ごろ４に縫いつけられ、その縫い付け部１３（取付部）から先端側の途中まで布状体５の表地５ａと裏地５ｂとの間に位置されてなる。そして、先端は、裏地５ｂに設けられたベルト通し孔１４から布状体５の内側に導き出されて、調節具１０の二箇所の挿入孔に交互に挿入された後、パッド１１の切り込み１２を外側から内側に抜けて縫い付け部１３側に折り返されている。尚、該後ろ身ごろ４側のベルト体９の先端は、挿入孔からの抜け防止のために、二回折り返されて三重になっている。
【００２２】
このように、前身ごろ３側のベルト体８、調節具１０、パッド１１、及び後ろ身ごろ４側のベルト体９の先端側が、全て布状体５の内側に位置してなる。そして、後ろ身ごろ４側のベルト体９の縫い付け部１３側を内側から覆う裏地５ｂ（ベルト通し孔１４から縫い付け部１３側の端部までの領域）が、布状体５をベルト体９に繋ぎ止める繋止手段の役割を担っている。表地５ａは上下端部で裏地５ｂと縫い付けられているからである。（図４（ロ）参照）
【００２３】
上記構成からなる釣り用ベストは、浮力材２を有することから釣りに際して安全のために使用されるが、該釣り用ベストを着用した後、両脇の一対の調節ベルト６，６を調節することで前身ごろ３と後ろ身ごろ４との前後の離間距離を調節して体にベストを密着させることができる。以下、図４を参照して調節状態を説明する。
【００２４】
着用後において、離間距離を狭くしたい場合には、図４（イ）のように、後ろ身ごろ４側のベルト体９の先端をパッド１１の切り込み１２から抜いて、パッド１１を前方に回動させる。
【００２５】
そして、後ろ身ごろ４側のベルト体９の先端を摘んで調節具１０を前方に引っ張ることにより、両ベルト体８，９の連結長さを自由に調節して、調節具１０から後ろ身ごろ４までの距離を縮め、前身ごろ３と後ろ身ごろ４との離間距離を狭くすることができる。
【００２６】
離間距離を狭めると、一般には布状体５が弛むが、布状体５が伸縮性を有しているため、この弛み量を抑制することができる。そのうえ、布状体５が袋状で且つ、ベルト通し孔１４を有する裏地５ｂが後ろ身ごろ４側のベルト体９の縫い付け部１３側を内側から覆っているため、布状体５（特に表地５ａ）がベルト体９から離れて外側に大きく膨出することがない。その結果、離間距離を狭くしても、図４（ロ）のように、裏地５ｂのベルト通し孔１４から後ろ身ごろ４までの間において、布状体５が上下方向に沿って細かく折り畳まれるようになる。
【００２７】
このようにして離間距離を調節した後に、再度パッド１１の切り込み１２にベルト体９の先端を挿入することにより、パッド１１で調節具１０を内側から覆うことができると共に、該状態を維持することができる。
【００２８】
以上のようにして離間距離を自在に調節設定することができるが、以下に本実施形態の利点を挙げる。
【００２９】
第一に、調節ベルト６が布状体５の外側に露出しないので、釣り糸が調節ベルト６に接触するおそれがない。特に引っかかりやすい調節具１０及び、フリーな状態にあるベルト体９の先端が共に布状体５の内側に位置しているため、両者に釣り糸が引っかかるおそれがないのである。従って、釣りの最中に引っかかった糸を取り外したりする時間と手間が省けるうえに、糸が引っかかる心配がないので、安心して釣りに集中することができるのである。
【００３０】
特に、釣り糸が調節ベルト６に引っかったり擦れ合ったりすることが原因となる釣り糸の糸切れが防止でき、その結果、従来に比して細めの釣り糸も安心して使用することができる。
【００３１】
第二に、ベルト通し孔１４から縫い付け部１３までの部分の裏地５ｂが、布状体５のベルト体９からの離脱を防止しているために、離間距離を縮めても布状体５が外側に大きく膨出することがない。その結果、布状体５にも釣り糸が引っかかるおそれがなくなる。そのうえ、布状体５が前後方向に伸縮性を有しているために、より一層外側への膨らみを抑制することができるのである。
【００３２】
第三に、調節具１０の内側をパッド１１で覆うことができるので、着用時において、調節具１０が着用者の衣服にからみついたり、引っかかったりするおそれがない。そのうえ、パッド１１がクッション性を有しているので、調節具１０が布状体５の内側にあっても違和感なくベストを着用することができる。
【００３３】
第四に、パッド１１にベルト体９の先端が通る切り込み１２が形成されてなるので、パッド１１が調節具１０を覆った状態を確実に維持することができる。同時に、ベルト体９の先端の抜け防止になるうえに、切り込み１２とベルト体９との摩擦によっても調節ベルト６の連結長さの変化を阻止することもできる。また、調節ベルト６の連結長さが仮に緩んでも、ベルト体９の先端が三重構造になっていることとも相まって、ベルト体９の先端が調節具１０の挿入孔から抜けて両ベルト体８，９の連結が解除されるというおそれがないのである。万一の安全性確保のために着用される浮力材付きの釣り用ベストにおいて、極めて重要且つ大きな利点である。
【００３４】
尚、本実施形態では、布状体５の表地５ａと裏地５ｂとの間に、後ろ身ごろ４側のベルト体９の縫い付け部１３側を挿入させたものについて説明したが、図５のように、該ベルト体９の縫い付け部１３側を布状体５の外側に露出させた構成としてもよい。かかる場合には、ベルト通し孔１４が布状体５をベルト体９に繋ぎ止めるための繋止手段の役割を担うこととなり、離間距離を縮めた際に、ベルト通し孔１４から縫い付け部１３までの布状体５が内側に撓み外側には撓まないので、該領域での釣り糸の引っかかりが防止できる。
【００３５】
更に、調節ベルト６全体を布状体５の内側に位置させてもよい。何れにしても、調節具１０が布状体５の内側に位置するよう構成することで、布状体５によって調節具１０と釣り糸との接触が防止されるため、接触による糸切れ等のおそれがない。
【００３６】
また、繋止手段の構成も種々の構成を採用することが可能である。例えば、ベルト体９と布状体５とを、面ファスナーのような繰り返し着脱可能なもので繋ぎ止めてもよい。
【００３７】
尚、上記実施形態では、調節具１０を布状体５の内側に位置させてなるが、図６のように、布状体５の外側に位置させ且つ、調節具１０の外側をカバー体１５で覆うよう構成しても、調節具１０と釣り糸との接触を防止できる。
【００３８】
該カバー体１５は、前身ごろ３と後ろ身ごろ４の離間方向に沿って、布状体５への固定部１５ａ（一端部）を中心に前後方向（図中Ｂ方向）に回動できるようになっており、且つ、固定部１５ａと反対側の他端部１５ｂは、調節具１０を覆った時に、布状体５の外面側に係止できるようになっている。
【００３９】
このように調節具１０の外側をカバー体１５で覆う場合には、図のように、カバー体１５によってベルト体８の先端をも覆うようにすることが好ましい。ベルト体８の先端に釣り糸が引っかかることを防止するためである。
【００４０】
その他、調節具１０の形状、ベルト体８，９の本数、取付方法、取付箇所（布状体５に取り付けていてもよい）等も適宜設計変更可能である。また、布状体５の材質、形状、及び枚数も特に限定するものではない。更に、図６のように、調節具１０の外側を覆うカバー体１５を設ける場合には、布状体５は必須の構成要件ではない。
【００４１】
【発明の効果】
本発明に係る釣り用ベストにあっては、釣り糸と調節具との接触が布状体によって防止されるので、調節ベルトのうちで最も絡みやすい調節具に釣り糸が絡まるおそれがないという効果を奏する。
【図面の簡単な説明】
【図１】本発明の一実施形態における釣り用ベストを示す斜視図。
【図２】同釣り用ベストを内側から見た要部正面図。
【図３】図２のＰ−Ｐ断面図。
【図４】同釣り用ベストの使用状態を示し、（イ）は調節ベルトの調節時、（ロ）は調節後の状態を示す要部断面図。
【図５】他実施形態における釣り用ベストを示す要部断面図。
【図６】他実施形態における釣り用ベストを示す要部断面図。
【図７】従来の釣り用ベストを示す斜視図。
【符号の説明】
１…ベスト本体、２…浮力材、３…前身ごろ、４…後ろ身ごろ、５…布状体、６…調節ベルト、８，９…ベルト体、１０…調節具、１１…パッド（内面カバー体）、１５…カバー体
【図１】
0004083873.tif 000002
【図２】
0004083873.tif 000003
【図３】
0004083873.tif 000004
【図４】
0004083873.tif 000005
【図５】
0004083873.tif 000006
【図６】
0004083873.tif 000007
【図７】
0004083873.tif 000008